(57)【要約】【課題】使用者が意図した調理結果と実際に調理された調理物の調理結果とが異なることを十分に防止でき、使い勝手のよい炊飯器の提供。【解決手段】炊飯器本体と、炊飯器本体に収納される鍋と、複数の調理コースから鍋内に収容された調理物を調理するための調理コースを選択する操作部と、操作部の選択状態を表示する表示部と、操作部の選択状態を表示部に表示させる制御部と、を備え、鍋には、複数の調理コースに対応した水の量を示す水位線が設けられており、制御部は、操作部で選択された調理コースと鍋に設けられた水位線とが一致しているか否かを確認するための水位線確認画面を表示部に表示させる炊飯器。【選択図】図４
2016174705.tif 000002
【特許請求の範囲】
【請求項１】
炊飯器本体と、
前記炊飯器本体に収納される鍋と、
複数の調理コースから前記鍋内に収容された調理物を調理するための調理コースを選択する操作部と、
前記操作部の選択状態を表示する表示部と、
前記操作部の選択状態を前記表示部に表示させる制御部と、
を備え、
前記鍋には、複数の調理コースに対応した水の量を示す水位線が設けられており、
前記制御部は、前記操作部で選択された調理コースと前記鍋に設けられた水位線とが一致しているか否かを確認するための水位線確認画面を前記表示部に表示させる、
炊飯器。
【請求項２】
前記鍋に設けられた水位線の数は、前記調理コースよりも少ない請求項１に記載の炊飯器。
【請求項３】
前記操作部には、前記操作部の選択状態を変更する変更操作部と、前記操作部の選択状態を決定する変更決定部と、が設けられており、
前記制御部は、前記変更決定部により前記操作部の選択状態が決定されたときに、前記表示部に前記水位線確認画面を表示させる、請求項１または２に記載の炊飯器。
【請求項４】
前記操作部には、前記鍋内に収容された調理物の調理を開始する開始操作部が設けられており、
前記制御部は、前記開始操作部が操作されたときに、前記表示部に前記水位線確認画面を表示させる、請求項１〜３のうちの何れか１項に記載の炊飯器。
【発明の詳細な説明】
【技術分野】
【０００１】
本発明は、炊飯器に関し、特に、複数の調理コースを備えた炊飯器に関するものである。
【背景技術】
【０００２】
従来、この種の炊飯器においては、白米、玄米、おかゆ、おこわ等の各種炊飯メニューを備え、液晶表示部と、コース選択スイッチと、炊飯スイッチと、を配設した操作パネルを有している。そして、従来の炊飯器においては、使用者によりコース選択スイッチが操作されると、液晶表示部が待機画面からコース選択画面へと変化する。その後、使用者が液晶表示部のコース選択画面において、鍋内に収容した調理物の調理コースを選択し、炊飯スイッチを操作することで、鍋内に収容された調理物の調理が開始される。（例えば、特許文献１参照）。
【先行技術文献】
【特許文献】
【０００３】
【特許文献１】特開２００７−５００３９号公報
【発明の概要】
【発明が解決しようとする課題】
【０００４】
しかしながら、上記従来の炊飯器においては、鍋内に収容された調理物を調理するための調理コースのみが液晶表示部に表示されるように構成されており、使用者により鍋内に収容した調理物の調理コースが選択され、炊飯スイッチを操作されると、すぐに鍋内に収容された調理物の調理が開始される構成であるため、例えば、使用者がコース選択スイッチで選択した調理コースと、調理物を調理するために鍋内に投入した水の量とが一致しない場合であっても、調理物の調理が開始されてしまう。この場合、使用者がコース選択スイッチで選択した調理コースで調理するために必要な水の量と、使用者が調理物を調理するために鍋内に投入した水の量とが一致せず、使用者が意図した調理が行えず、調理物の調理に失敗してしまう場合があった。
【０００５】
本発明は、上記従来技術の有する課題に鑑みて成されたものであり、使用者が選択した調理コースと調理物の調理結果とが異なることを十分に防止でき、使い勝手のよい炊飯器を提供することを目的とする。
【課題を解決するための手段】
【０００６】
上述従来技術の有する課題を解決するために、本発明は、炊飯器本体と、炊飯器本体に収納される鍋と、複数の調理コースから鍋内に収容された調理物を調理するための調理コースを選択する操作部と、操作部の選択状態を表示する表示部と、操作部の選択状態を表示部に表示させる制御部と、を備え、鍋には、複数の調理コースに対応した水の量を示す水位線が設けられており、制御部は、操作部で選択された調理コースと鍋に設けられた水位線とが一致しているか否かを確認するための水位線確認画面を表示部に表示させる、炊飯器としたものである。
【０００７】
これにより、使用者が操作部を操作して選択した調理コースと、鍋内に収容された調理物を調理するために使用者が鍋内に投入した水の量とが一致しているか否かを確認することを使用者に報知することができるため、使用者が操作部を操作して選択した調理コースと、鍋内に収容された調理物を調理するために使用者が鍋内に投入した水の量と異なることで、使用者が選択した調理コース、すなわち、使用者が意図した調理結果と、実際に調
理された調理物の調理結果とが異なることを十分に防止でき、炊飯器の使い勝手を向上させることができる。
【発明の効果】
【０００８】
本発明の炊飯器によれば、使用者が操作部を操作して選択した調理コースと、鍋内に収容された調理物を調理するために使用者が鍋内に投入した水の量とが一致しているか否かを確認することを使用者に報知することができるため、使用者が意図した調理結果と実際に調理された調理物の調理結果とが異なることを十分に防止でき、使い勝手のよい炊飯器を提供することができる。
【図面の簡単な説明】
【０００９】
【図１】本発明の実施の形態１における炊飯器の断面図
【図２】本発明の実施の形態１における操作パネルを示す平面図
【図３】本発明の実施の形態１における制御ユニットのブロック図
【図４】本発明の実施の形態１における電源投入時の動作フローチャートを示す図
【図５】本発明の実施の形態１における挨拶画面の表示例を示す図
【図６】（ａ）本発明の実施の形態１における調理コースとして「白米」の「エコ炊飯」が選択された際の待機画面の表示例を示す図、（ｂ）本発明の実施の形態１における調理コースとして「白米」の「銀シャリ」が選択された際の待機画面の表示例を示す図
【図７】（ａ）本発明の実施の形態１における調理コースとして「白米」の「銀シャリ」が選択された際の炊飯確認画面の表示例を示す図、（ｂ）本発明の実施の形態１における調理コースとして「白米」の「おかゆ」が選択された際の炊飯確認画面の表示例を示す図
【図８】（ａ）本発明の実施の形態１における調理メニューとして「白米」の「銀シャリ」が選択された際の炊飯情報画面の表示例を示す図、（ｂ）本発明の実施の形態１における調理メニューとして「白米」の「少量」が選択された際の炊飯情報画面の表示例を示す図
【発明を実施するための形態】
【００１０】
第１の発明は、炊飯器本体と、炊飯器本体に収納される鍋と、複数の調理コースから鍋内に収容された調理物を調理するための調理コースを選択する操作部と、操作部の選択状態を表示する表示部と、操作部の選択状態を表示部に表示させる制御部と、を備え、鍋には、複数の調理コースに対応した水の量を示す水位線が設けられており、制御部は、操作部で選択された調理コースと鍋に設けられた水位線とが一致しているか否かを確認するための水位線確認画面を表示部に表示させる、炊飯器としたものである。
【００１１】
これにより、使用者が操作部を操作して選択した調理コースと、鍋内に収容された調理物を調理するために使用者が鍋内に投入した水の量とが一致しているか否かを確認することを使用者に報知することができるため、使用者が操作部を操作して選択した調理コースと、鍋内に収容された調理物を調理するために使用者が鍋内に投入した水の量と異なることで、使用者が選択した調理コース、すなわち、使用者が意図した調理結果と、実際に調理された調理物の調理結果とが異なることを十分に防止でき、炊飯器の使い勝手を向上させることができる。
【００１２】
第２の発明は、特に、第１の発明において、鍋に設けられた水位線の数は、調理コースよりも少ない構成としたものである。
【００１３】
これにより、複数の調理コースに対応した水位線を全て鍋に設ける場合、使用者が選択した調理コースと鍋に設けられた水位線との対応が識別しにくくなるが、代表的な調理コースに対応した水位線のみ鍋内に設けることで、水位線確認画面に出す調理コースと鍋に
設けた水位線との対応を使用者にわかりやすく報知することができる。そのため、使用者が操作部で選択した調理コースと、鍋に設けられた水位線との対応を誤って認識することを十分に防止することができ、炊飯器の使い勝手をさらに向上させることができる。
【００１４】
第３の発明は、特に、第１または第２の発明において、操作部には、操作部の選択状態を変更する変更操作部と、操作部の選択状態を決定する変更決定部と、が設けられており、制御部は、変更決定部により操作部の選択状態が決定されたときに、表示部に水位線確認画面を表示させる構成としたものである。
【００１５】
これにより、調理物の調理が開始される前に、使用者が操作部を操作して選択した調理コースと、鍋内に収容された調理物を調理するために使用者が鍋内に投入した水の量とが一致しているか否かを確認することを使用者に報知することができるため、調理物の調理が完了する前に、使用者に水位線の確認を促すことができ、炊飯器の使い勝手を向上させることができる。
【００１６】
第４の発明は、特に、第１〜第３の発明において、操作部には、鍋内に収容された調理物の調理を開始する開始操作部が設けられており、制御部は、開始操作部が操作されたときに、表示部に水位線確認画面を表示させる構成としたものである。
【００１７】
これにより、調理物の調理が開始された直後に、使用者が操作部を操作して選択した調理コースと、鍋内に収容された調理物を調理するために使用者が鍋内に投入した水の量とが一致しているか否かを確認することを使用者に報知することができるため、調理物の調理が完了する前に、使用者に水位線の確認を促すことができ、炊飯器の使い勝手を向上させることができる。
【００１８】
以下、図面を参照しながら本発明の加熱調理器の好適な実施形態について詳細に説明する。なお、以下の説明では、同一または相当部分には同一符号付し、重複する説明は省略する。
【００１９】
（実施の形態１）
本発明の炊飯器の実施の形態１について、以下、図１〜図８を用いて説明する。
【００２０】
図１は、本発明の実施の形態１における炊飯器の断面図である。また、図２は、本発明の実施の形態１における操作パネルを示す平面図である。さらに、図３は、本発明の実施の形態１における制御ユニットのブロック図である。また、図４は、本発明の実施の形態１における電源投入時の動作フローチャートを示す図である。さらに、図５本発明の実施の形態１における挨拶画面の表示例を示す図である。また、図６（ａ）は、本発明の実施の形態１における調理コースとして「白米」の「エコ炊飯」が選択された際の待機画面の表示例を示す図であり、図６（ｂ）は、本発明の実施の形態１における調理コースとして「白米」の「銀シャリ」が選択された際の待機画面の表示例を示す図である。さらに、図７（ａ）は、本発明の実施の形態１における調理コースとして「白米」の「銀シャリ」が選択された際の炊飯確認画面の表示例を示す図であり、図７（ｂ）は、本発明の実施の形態１における調理コースとして「白米」の「おかゆ」が選択された際の炊飯確認画面の表示例を示す図である。また、図８（ａ）は、本発明の実施の形態１における調理メニューとして「白米」の「銀シャリ」が選択された際の炊飯情報画面の表示例を示す図であり、図８（ｂ）は、本発明の実施の形態１における調理メニューとして「白米」の「少量」が選択された際の炊飯情報画面の表示例を示す図である。
【００２１】
図１に示すように、炊飯器本体１は、その内部に鍋２を着脱自在に収納する。また、炊飯器本体１の内部には、鍋２の底部近傍に設けられ、鍋２を誘導加熱して加熱調理を行う
底誘導加熱コイル４が配置されている。また、炊飯器本体１の内部には、鍋２の底面中央に接触するように設けられ、鍋２の底面の温度を検知するとともに、後述する制御ユニット９へ温度情報を送る底センサー５が配置されている。制御ユニット９は、底センサー５の温度情報に基づき、底誘導加熱コイル４の通電量を制御しており、鍋２の加熱量を可変することで鍋２の温度を調理物に適した温度に制御するように構成されている。
【００２２】
炊飯器本体１には、炊飯器本体１に鍋２が収納された状態において、鍋２の上方を開閉自在に覆う蓋３が回動自在に取付けられている。蓋３は、炊飯器本体１の後部形成されたヒンジ部７に設けられたヒンジ軸８にて軸支されており、この構成により、蓋３は炊飯器本体１に回動自在に取付けられるとともに、鍋２の上方を開閉自在に覆うように構成されている。また、蓋３の上部には後述する操作パネル６が設けられている。
【００２３】
図２に示すように、操作パネル６には、複数の調理コースから鍋２内に収容された調理物を調理するための調理コースを選択する操作部６ａと、操作部６ａの選択状態を表示する表示部１０とが配置されている。
【００２４】
操作部６ａは、決定／機能スイッチ１１ａ、下スイッチ１１ｂ、上スイッチ１１ｃ、取消／切スイッチ１１ｄ、予約スイッチ１１ｅ、炊飯スイッチ１１ｆ、お米スイッチ１１ｇ、炊き方スイッチ１１ｈ、スチーム保温／再加熱スイッチ１１ｉ等の各種操作スイッチで構成されている。また、表示部１０は、操作パネル６の略中央部に配置されており、十分に広く大きな表示面積を有している。また、決定／機能スイッチ１１ａ、下スイッチ１１ｂ、上スイッチ１１ｃ、取消／切スイッチ１１ｄ、予約スイッチ１１ｅ、炊飯スイッチ１１ｆ、お米スイッチ１１ｇ、炊き方スイッチ１１ｈ、スチーム保温／再加熱スイッチ１１ｉ等の各種操作スイッチは表示部１０の周囲に配設されている。さらに、蓋３の内部の操作パネル６の下方には、制御ユニット９が設けられている。ここで、本実施の形態においては、下スイッチ１１ｂ、上スイッチ１１ｃ、取消／切スイッチ１１ｄ、予約スイッチ１１ｅ、お米スイッチ１１ｇ、炊き方スイッチ１１ｈ、スチーム保温／再加熱スイッチ１１ｉによって操作部６ａの選択状態が変更される変更操作部（図示せず）が構成され、決定／機能スイッチ１１ａによって、操作部６ａの選択状態が決定される変更決定部（図示せず）が構成されているものとする。また、本実施の形態においては、炊飯スイッチ１１ｆによって、鍋２内に収容された調理物の調理を開始する、すなわち、使用者によって選択された調理コースに基づいて調理を開始する開始操作部（図示せず）が構成されているものとする。
【００２５】
図３に示すように、制御ユニット９は、マイクロコンピュータなどの電気回路部品で構成される制御部１２と、商用電源（図示せず）から供給される電力を制御部１２に供給する駆動電源１４と、駆動電源１４から電力が供給されないときに制御部１２に電力を供給する蓄電池（図示せず）などで構成されたバックアップ電源１３とで構成されている。また、表示部１０は、制御部１２に接続されるとともに、合成樹脂製のホルダー（図示せず）を介して制御部１２と一体となるように構成されている。制御部１２には、各スイッチ１１ａ〜１１ｉから入力された使用者の指示操作に応じて表示部１０へ適切な表示を行うとともに調理コースの選択を行い、選択された調理コースに対応した加熱パターンによる調理制御を行うようにしている。
【００２６】
以上のように構成された炊飯器について、以下その動作、作用を説明する。
【００２７】
図４に示すように、制御部１２は、商用電源（図示せず）から電力が供給されると、ステップＳ１において、図５に示すような挨拶画面を表示部１０へ表示してステップＳ２へ進む。
【００２８】
図５に示すように、挨拶画面には、現在時刻が表示されるとともに、現在時刻の時間帯に応じた挨拶語と時間帯を示す記号が表示されるように構成されており、例えば、現在時刻が夜の時間帯であれば「おはようございます」の挨拶語の代わりに「こんばんは」の挨拶語を表示し、「太陽」の記号の代わりに「三日月」の記号が表示されるように構成されている。
【００２９】
図４に示すように、ステップＳ２では、記憶されているお米の種類と調理コース、現在時刻が待機画面に表示される。例えば、お米の種類は「白米」や「無洗米」などで、調理コースは「銀シャリ」や「おかゆ」、「高速」などである。図６（ａ）に示すように、使用者が操作部６ａを操作し、調理コースとして「白米」の「エコ炊飯」を選択した場合、表示部１０の待機画面には、使用者により選択された調理コースである「白米」の「エコ炊飯」と、現時刻が表示される。また、図６（ｂ）に示すように、使用者が操作部６ａを操作し、調理コースとして「白米」の「銀シャリふつう」を選択した場合、表示部１０の待機画面には、使用者により選択された調理コースである「白米」の「銀シャリふつう」と、現時刻が表示される。表示部１０に待機画面が表示されている時に、例えば、使用者によりお米スイッチ１１ｇが押されると、お米の種類を変更する画面に遷移し、上スイッチ１１ｃや下スイッチ１１ｂを操作することで、お米の種類を変更することができるように構成されている。
【００３０】
ステップＳ３では、使用者が表示部１０に表示されている調理コースを変更するために、炊き方スイッチ１１ｈを操作したか否かを判断する。使用者により炊き方スイッチ１１ｈが操作されていればステップＳ４へ進み、使用者により炊き方スイッチ１１ｈが操作されていなければ、調理メニューの変更なしで炊飯を行うと判断し、ステップＳ７へ進む。
【００３１】
ステップＳ４では、調理メニューが表示される画面に移行し、上スイッチ１１ｃや下スイッチ１１ｂを押すことで使用者が設定したい調理メニューにカーソルを合わすことができ、ステップＳ５へ進み、設定完了しなければ取消／切スイッチ１１ｄを押してステップ２やステップ３に移行する。
【００３２】
ステップ５では、決定／機能スイッチ１１ａが操作されたか否かを判断し、操作されていればステップＳ６へ進み、操作されていない場合でも炊飯を開始することはできるので、ステップＳ７へ進む。
【００３３】
ステップＳ６では、図７（ａ）及び（ｂ）に示すような炊飯確認画面を表示部１０へ表示する。すなわち、ステップＳ６において、炊飯確認画面には、使用者によって選択された調理コースと、鍋２内に設けられた水位線のうち、使用者が選択した調理コースに対応する水位線を確認するように促す水位線確認画面とが表示される。例えば、図７（ａ）に示すように、使用者により、調理コースとして「白米」の「銀シャリふつう」が選択されているとともに、鍋２内に設けられた水位線「銀シャリ」がこの調理コースに対応する場合、使用者により選択された調理コースである「白米」の「銀シャリふつう」と、鍋２内に設けられた水位線「銀シャリ」を確認するように使用者に促す「水位線は銀シャリ」という水位線確認画面が表示される。鍋２に記載の調理コースは銀シャリ以外にも、高速やおかゆなどが記載され、選択された調理コースに応じた水位線の表記が表示部１０に表示される。図７（ｂ）は、調理コースとして「白米」の「おかゆ」が選択された時の炊飯確認画面であり、この場合、水位線確認画面として「水位線はおかゆ」と表示される。
【００３４】
調理コースにより鍋２に入れる水量を変更して、調理コースに合った炊飯をさせるようにしている。例えば、「エコ炊飯」を選択するとできるだけ消費電力量が少なくなることを優先して調理するように加熱動作し、水量も少なくした状態で炊飯プログラムを動作させている。一方、「銀シャリ」を選択するとできるだけ食味を良くすることを優先して調
理するように加熱動作し、「エコ炊飯」よりも水量も多くした状態で炊飯プログラムを動作させている。また、「おかゆ」を選択すると、水分が必要となるために「エコ炊飯」や「銀シャリ」よりも多い水量で炊飯するように鍋２の水位線は同じ合数を炊く場合に高く設定している。
【００３５】
以上のように、使用者は、使用者が選択した調理コースに合った水を各調理コースに対応するように鍋２に設けられた水位線まで入れないと、使用者が期待していない炊飯シーケンスで調理が開始されることとなり、炊飯性能が落ちたり不安全な現象が起きたり可能性がある。例えば、炊飯性能では美味しく炊くために「銀シャリ」を選択していたとしても、鍋の水位線が「エコ炊飯」で合わせてしまうと、水量が少ないために合数判定が期待している合数より少なく制御部１２が判定し、加熱コイルからの誘導加熱を期待している火力よりも小さい火力で炊くことになり、結果として炊飯性能を落としてしまうことになる。また、「おかゆ」の調理コースを使用者が炊きたいのに、「おかゆ」の調理コースの選択がわからない場合やいつも使用しているまま、炊飯をする操作をしてしまうと、例えばいつも使用している調理コースが銀シャリの場合、「銀シャリ」の調理コースが選択されているにもかかわらず、「おかゆ」の鍋の水位線で「銀シャリ」の炊飯シーケンスで炊飯されると、多くの沸騰水が残っているのに減圧が発生しふきこぼれなどの不安全事象が発生することが考えられる。水位線の間違いにより炊飯性能が落ちたり、不安全事象が発生したりする恐れがある。
【００３６】
そこで、上述のように、水位線確認画面を表示させることにより、使用者が選択した調理コースと、この調理コースで調理を行うために使用者が鍋２内に投入した水の量、すなわち、鍋２内の水位線に合わせて投入した水の量とが合っているかを確認するように使用者に促すことができ、調理コースを変更した時にいつもと同じ水位線で炊飯を開始しないようにすることができる。
【００３７】
ステップＳ７では、炊飯スイッチ１１ｆが操作されたか否かを判断し、操作されていればステップＳ８へ進み、操作されていなければ取消／切スイッチ１１ｄを押しステップＳ３へ進む。
【００３８】
ステップＳ８では、炊飯情報画面を表示部１０へ表示する。すなわち、ステップＳ８において、炊飯情報画面には、使用者によって選択され、決定された調理コースと、鍋２内に設けられた水位線のうち、使用者が選択し、決定した調理コースに対応する水位線を確認するように促す水位線確認画面とが表示される。図８（ａ）に示すように、使用者により、調理コースとして「白米」の「銀シャリふつう」が選択され、決定されているとともに、鍋２内に設けられた水位線「銀シャリ」がこの調理コースに対応する場合、使用者により選択され、決定された調理コースである「白米」の「銀シャリふつう」と、鍋２内に設けられた水位線「銀シャリ」を確認するように使用者に促す「水位線は銀シャリ」という水位線確認画面が表示される。これにより、調理コースの選択やステップＳ５での決定／機能スイッチ１１ａの操作がない場合も、使用者が選択した調理コースと、この調理コースで調理を行うために使用者が鍋２内に投入した水の量とが合っているかを確認することを使用者に促すことができ、調理コースを変更した時にいつもと同じ水位線で炊飯を開始しないようにできる。
【００３９】
ステップＳ９では、計時を行い、所定時間（例えば５秒）経過するとステップＳ６へ進む。
【００４０】
ステップＳ１０では、炊飯終了までの残時間を表示部１０へ表示する。
【００４１】
なお、本実施の形態の調理コースと鍋２の水位線において、炊飯器では様々な炊き方が
できるように調理コースが少なくとも５種類以上搭載されているが、調理コースに対応して鍋２に水位線を設けることには限度があり、調理コースに対応した水位線を鍋２に多く入れると、文字が小さくなるため、かえって使用者が見にくくなる問題が発生する。そのため、使用者による水位線の視認性を向上させ、炊飯器の使い勝手を工場させるように、鍋２に設ける水位線の数は、制御部１２に記憶されている調理コースの数よりも少なくし、使用者が鍋２の水位線を識別しやすくすることが好ましい。しかしながら、鍋２に設ける水位線の数は、制御部１２に記憶されている調理コースの数よりも少なくした場合、使用者によって選択された調理コースに対応した水位線が必ずしも鍋２に設けられていないことになるため、調理コースと水位線との対応関係がわかりにくくなる。そこで、この課題を解決するために、調理コースと水位線との対応関係を例えば取扱説明書などに記載することも考えられるが、この場合、取扱説明書を見ないと調理コースと水位線との対応関係がわからなくなり、炊飯器の使い勝手が良くない点も発生してしまう。
【００４２】
そこで、ステップＳ６やステップＳ８において、使用者が調理コースを選択する際に表示される炊飯確認画面や、使用者が調理コースを選択及び決定し、調理を開始した際に表示される炊飯情報画に「水位線は銀シャリ」などの水位線確認画面を表示することで、使用者に水位線の確認や間違いを報知することができる。
【００４３】
また、図８（ｂ）に示すように、例えば、調理コースである「白米」の「少量」に対応する水位線の表記として、鍋２に「白米」の「少量」の記載がない場合、使用者は鍋２内に設けられた複数の水位線のうち、どの水位線に合わせて水を投入すればよいかわからないが、ステップＳ６またはステップＳ８において、「水位線は銀シャリ」という水位線確認画面を表示させることで、使用者に水位線は銀シャリに合わせればよいと報知することができ、意図した炊飯を行うことが可能となる。
【００４４】
なお、本実施の形態においては初期設定モードの終了は決定／機能スイッチ１１ａによるものとしたが、例えば、タッチパネルなどで調理コースのコース選択肢を直接タッチして選択できる場合などは決定／機能スイッチ１１ａの操作をしなくても調理コースの選択と同時に初期設定モードを終了するようにすれば操作回数を減らすことができる。
【００４５】
また、本実施の形態においては、使用者が調理コースを選択した場合及び使用者が調理コースを選択及び決定し、炊飯が開始された場合に、水位線確認画面を表示するように構成しているが、水位線確認画面は、調理が完了するまでの間に少なくとも１回表示されればよく、使用者が調理コースを選択した場合または使用者が調理コースを選択及び決定し、炊飯が開始された場合の何れかの一方のみで表示されるように構成してもよい。また、水位線確認画面は、使用者が調理コースを選択及び決定し、調理が開始される前に表示されるように構成されていてもよい。
【００４６】
この構成により、調理物の調理が完了する前に、使用者に水位線の確認を促すことができ、炊飯器の使い勝手を向上させることができる。
【産業上の利用可能性】
【００４７】
本発明の炊飯器によれば、ユーザーが調理物に最適な調理コースを確実に設定できるようになり、ユーザーまたは調理物に対して最適な加熱調理の提供を行うことが可能となるので、加熱調理の設定を変更する設定項目等にも適用できる。
【符号の説明】
【００４８】
１  炊飯器本体
２  鍋
３  蓋
４  底誘導加熱コイル
５  底センサー
６  操作パネル
６ａ  操作部
７  ヒンジ部
８  ヒンジ軸
９  制御ユニット
１０  表示部
１１ａ  決定／機能スイッチ
１１ｂ  下スイッチ
１１ｃ  上スイッチ
１１ｄ  取消／切スイッチ
１１ｅ  予約スイッチ
１１ｆ  炊飯スイッチ
１１ｇ  お米スイッチ
１１ｈ  炊き方スイッチ
１１ｉ  スチーム保温／再加熱スイッチ
１２  制御部
１３  バックアップ電源
１４  駆動電源
【図１】
2016174705.tif 000003
【図２】
2016174705.tif 000004
【図３】
2016174705.tif 000005
【図４】
2016174705.tif 000006
【図５】
2016174705.tif 000007
【図６】
2016174705.tif 000008
【図７】
2016174705.tif 000009
【図８】
2016174705.tif 000010